(57)【要約】 【課題】ベランダの手摺等に布団を干す時に、布団の厚さに左右されることなく、確実に挟持できる布団ばさみを提供する。【解決手段】一端に挟持部３を設けた一対の挟持アーム１、１の他端部が支軸２を介して回動自在に連結されると共に、一対の挟持アーム１、１が付勢手段により常時閉じ方向に付勢されて成る布団ばさみにおいて、挟持部３は、挟持アーム１の回動方向に揺動自在に設けられている。【選択図】図１
0003126042.tif 000002
【実用新案登録請求の範囲】
【請求項１】
一端に挟持部を設けた一対の挟持アームの他端部が支軸を介して回動自在に連結されると共に、前記一対の挟持アームが付勢手段により常時閉じ方向に付勢されて成る布団ばさみにおいて、
前記挟持部は、前記挟持アームの回動方向に揺動自在に設けられていることを特徴とする布団ばさみ。
【請求項２】
前記挟持アームの前記布団に圧接する面に凹凸が形成されていることを特徴とする請求項１に記載の布団ばさみ。
【請求項３】
前記一対の挟持アームの開口側端部であって、且つ、前記挟持部の外側に前記挟持アームを開口操作するための把持部が設けられていることを特徴とする請求項１または請求項２の何れかに記載の布団ばさみ。
【考案の詳細な説明】
【技術分野】
【０００１】
本考案は、布団を干す際に用いて好適な布団ばさみに関するものである。
【背景技術】
【０００２】
従来より、一端部において相互に回動可能に軸着されると共に、他端部に布団を挟持するための挟持部を備えた一対の挟持アームと、この一対の挟持アームを常時閉じ方向に付勢するスプリングとで構成される布団ばさみが知られている。ベランダの手摺等に二つ折り状態に引っ掛けた布団の折り曲げ部を、この布団ばさみを用いて上から挟み込んで固定することにより、布団が風に煽られて跳ね上がった場合等に布団が手摺から落下するのを防止することができる。
【０００３】
ところで、このような構造の布団ばさみでは、通常、挟持アームとその先端部の挟持部は一体化されているため（通常、挟持アームの先端部分をそれぞれ内側に膨出させることにより挟持部を形成している）、挟持する布団の厚み等により挟持アームの開口幅が変わると、挟持部の布団の表面への圧接角度が変わり、これにより、挟持部の挟持力が不安定になるという問題があった。
挟持部による挟持力が不安定であると、布団を確実に挟持することが困難になり、布団が風等に煽られた場合に布団ばさみが布団から外れて布団がベランダから落下する虞がある。加えて、挟持部が布団に斜めに圧接すると、その角部等で布団が強く圧迫されて布団の表面が損傷するといった虞もある。
【０００４】
また、布団ばさみを布団に取り付ける際は、両方の挟持アームをスプリングのバネ力に抗して両手で開きつつ、布団の折り曲げ部分に挟み込むようにする必要があるため、布団ばさみの取り付け作業は案外面倒なものであり、特に、挟持アームの挟持力を強化するためにスプリングのバネ力を強くした布団ばさみでは尚更のことである。
【考案の開示】
【考案が解決しようとする課題】
【０００５】
本考案は、このような従来の布団ばさみの問題点に鑑み成されたもので、ベランダの手摺等に布団を干す際に、布団の厚さに左右されることなく、確実に布団を挟持できる布団ばさみを提供することを目的としている。
【課題を解決するための手段】
【０００６】
すなわち、請求項１に記載の考案は、一端に挟持部を設けた一対の挟持アームの他端部が支軸を介して回動自在に連結されると共に、前記一対の挟持アームが付勢手段により常時閉じ方向に付勢されて成る布団ばさみにおいて、前記挟持部は、前記挟持アームの回動方向に揺動自在に設けられていることを特徴としている。
【０００７】
また、請求項２に記載の考案は、請求項１に記載の布団ばさみにおいて、前記挟持アームの前記布団に圧接する面に凹凸が形成されていることを特徴としている。
【０００８】
また、請求項３に記載の考案は、請求項１または請求項２の何れかに記載の布団ばさみにおいて、前記一対の挟持アームの開口側端部であって、且つ、前記挟持部の外側に前記挟持アームを開口操作するための把持部が設けられていることを特徴としている。
【考案の効果】
【０００９】
請求項１に記載の考案によれば、挟持部を挟持アームの回動方向に揺動自在としたので、布団の厚さ等に影響されることなく、常に挟持部を布団の面に平行に圧接させることができ、これにより布団を確実に、且つ効率良く挟持することができる。
【００１０】
また、請求項２に記載の考案によれば、挟持部の布団に圧接する面に凹凸が形成されているので、圧接時にこの凹凸が布団の表面に食い込むことにより布団が滑りにくくなり、布団をより確実に挟持することができる。
【００１１】
また、請求項３に記載の考案によれば、挟持アームの開口側端部に把持部が設けられているので、大きな力を要さずに挟持アームの開口操作が行えるようになり、布団干しの際の布団ばさみの取り付け作業が容易になる。加えて、把持部の内側に布団を挟持する挟持部が位置するため、布団ばさみを取り付ける際に把持部を握った手が邪魔になることはない。
【考案を実施するための最良の形態】
【００１２】
以下、図１〜図５に基づいて本考案による布団ばさみの実施形態を説明する。
【００１３】
図１、図２において、符号１は、断面コの字形の樹脂製フレームで構成される一対の挟持アームである。この一対の挟持アーム１、１は布団を好適に挟むために湾曲した形状と成され、一端部において支軸２を介して相互に回動自在に連結されている。この支軸２の回りには、付勢手段としてのコイルバネ７が配設されていると共に、このコイルバネ７の各端部がそれぞれ対応する挟持アーム１の内壁に当接させられて、このコイルバネ７のバネ力で一対の挟持アーム１、１が常時閉じる方向に付勢されている。
【００１４】
また、この一対の挟持アーム１、１の開口側端部には、挟持アーム１、１を開口操作するための把持部４が設けられ、且つ、この把持部４は、把持し易いようにハンドル形状と成されている。
また、この把持部４の内方側に向けて一対の側壁９ｃが対向配置されたコの字型の支持部９が設けられており、この支持部９の側壁９ｃに布団を挟むための挟持部３が挟持アーム１の回動方向に揺動自在に連結されている。すなわち、挟持部３には、側部の長手中央部に軸６が設けられ、この軸６が支持部９の側壁９ｃに設けた軸孔８に回動自在に連結されていることから、挟持部３はこの軸６を支点に揺動自在となる。
【００１５】
尚、図３、図４に示すように、挟持部３の時計方向への回動（Ａ）幅は、挟持部３の裏面３ｂが支持部９の下縁部９ｂに当接することにより規制され、挟持部３の半時計方向への回動（Ｂ）幅は、挟持部３の裏面３ｂが支持部９の底部９ａ上端に当接することにより規制されるように構成されている。図４に示すように、時計方向への回動（Ａ）に比べて半時計方向への回動（Ｂ）幅を大きくしたのは、後述するように、分厚い布団２０も確実に挟持できるようにするためである。
【００１６】
この挟持部３は角部を丸くした四角状体であって、裏面３ｂ側は凸状に湾曲され、反対側の圧接面３ａには、扁平な面に横方向（回動方向に直行する方向）に延びる波状の凹凸５が複数それぞれ平行して形成されている。また、これらの凹凸５においても各縁部に丸みを持たせて、挟持部３が布団２０を挟持した時の布団２０に与えるダメージを極力少なくできるようになっている。
【００１７】
本実施形態による布団ばさみを用いて布団を干す際は、図５に示すように、物干し部材３０（例えば、ベランダ等の手摺３０）に二つ折り状態に布団２０を引っ掛け、布団ばさみの把持部４を握って一対の挟持アーム１、１をコイルバネ７のバネ力に抗して両手で開きながら布団の折り曲げ部に上方から挟み込むようにする。
把持部４は、挟持アーム１の開口側端部に位置し、対向端の支軸２を支点とする梃子の作用により、挟持アーム１の開口操作にさほど大きな力を要することはなく、且つ、両手で握った把持部４の内側に布団２０を挟持する挟持部３が位置するため、布団ばさみを布団２０に挟み込む際に把持部４を握った両手が邪魔になることはない。
【００１８】
一対の挟持アーム１、１は布団２０を好適に挟むために湾曲した形状と成され、挟持部３の圧接面３ａがコイルバネ７による閉じ方向の付勢力で布団２０の両面に押し当てられることにより、布団２０が物干し部材３０から落ちないように保持される。
この際、挟持部３を挟持アーム１、１の回動方向に揺動自在としているので、布団２０の折り曲げ部分の厚さによって挟持アーム１、１の開口幅が変わっても、その開口幅に応じて挟持部３が自在に揺動するため、常に挟持部３の圧接面３ａを布団２０の面に平行に圧接さて圧接面３ａ全体で布団２０の表面を均等に押圧することができる。すなわち、布団２０の折り曲げ部分の厚さが厚くなる程、挟持アーム１、１の開口幅は大きくなるが、これに連れて挟持部３が半時計方向（Ｂ）に大きく回動して挟持部３の圧接面３ａが布団２０の表面に常に平行に圧接される。よって、分厚い布団でも布団２０を確実に挟持して物干し部材３０に固定することができる。
【００１９】
また、布団２０が風に煽られた際に、挟持部３により生じる布団２０への不用意な圧迫力（圧接力）は、挟持部３を揺動自在とすることにより大いに吸収・緩和させることができ、よって、挟持アーム１と一体化された挟持部３を有する布団ばさみのように、その角部等で布団２０が強く圧迫されて布団２０の表面が損傷するといった不都合を回避することができる。
【００２０】
また、挟持部３の圧接面３ａには、横方向に凹凸５が複数形成されているので、挟持部３が布団２０に圧接すると、その圧接面３ａの凹凸５が布団２０の表面に食い込んで布団２０が滑りにくくなり、布団２０をより確実に挟持することができる。
【００２１】
以上、本実施形態では、一対の挟持アーム１、１に閉じ力を付与する付勢手段として挟持アーム１、１を回動自在に連結する支軸２の回りにコイルバネ７を設けた布団ばさみを示したが、これに限るものではなく、図示しないが、挟持アーム１、１の回動基端に近い部分に引っ張りバネを設けて両挟持アーム１を連結することにより閉じ力を付与するようにした布団ばさみにも勿論適用可能である。
【図面の簡単な説明】
【００２２】
【図１】本考案による布団ばさみの外観斜視図。
【図２】同、布団ばさみの正面図。
【図３】同、布団ばさみの挟持部の斜視図。
【図４】同、布団ばさみの挟持部の揺動状態を示す正面図。
【図５】同、布団ばさみの使用態様を示す斜視図。
【符号の説明】
【００２３】
１  挟持アーム
２  支軸
３  挟持部
４  把持部
５  凹凸
７  付勢手段（コイルバネ）
２０  布団
【図１】
0003126042.tif 000003
【図２】
0003126042.tif 000004
【図３】
0003126042.tif 000005
【図４】
0003126042.tif 000006
【図５】
0003126042.tif 000007